(57)【特許請求の範囲】
【請求項１】
映像・音声信号からなる放送素材を記録し放送するシステムにおいて、前記放送素材の収録時に同時再生が行われなかった放送素材、あるいは、その一部分しか同時再生のための映像表示が行われなかった放送素材を検出する手段を有し、その検出された放送素材と、該放送素材の同時再生が完了していないことを示す情報とを関連づけて記録する放送システムであり、複数個の放送素材出力チャネルを複数の用途において共有し、自動的に出力チャネルを割り当てる場合に、出力チャネルの使用目的に応じて優先度を持たせ、出力チャネルの空きがない状態で優先度のより高い使用目的で出力チャネルを使用開始するとき、優先度のより低い使用目的で使用中の出力チャネルの使用を中断し、優先度のより高い使用目的に出力チャネルを割り当てることを特徴とする放送システム。
【請求項２】
請求項１に記載の放送システムにおいて、放送素材の収録時に空いているチャネルで自動的に再生する同時再生を行い、同時再生映像を加工することにより登録動画素材の代表画面を１枚または複数枚の静止画として保存し、素材の管理に利用することを特徴とするシステム。
【請求項３】
請求項２に記載の放送システムにおいて、収録時の同時再生中に優先度のより高い使用目的で出力チャネルを使用され同時再生が中断された場合に収録をそのまま継続し、収録後に登録素材の代表画面にて同時再生が中断されたことを確認することを可能とすることを特徴とするシステム。
【請求項４】
請求項３に記載の放送システムにおいて、放送素材の収録開始時に空いているチャネルが存在しない時、同時再生を行わずに収録を開始し、収録後に登録素材の代表画面にて同時再生が行われなかったことを確認することを特徴とするシステム。
【発明の詳細な説明】
【０００１】
【発明の属する技術分野】
本発明は、映像信号を有する放送素材をランダムアクセス記録方法で収録し、その収録された放送素材を送出する放送システムに関し、特に、放送素材の収録時の収録動作確認が、より簡便となるようにした放送システムの改良に係わる。
【０００２】
【従来の技術】
映像信号のディジタル化が急速に進展するにつれ、ディジタル信号である映像データ信号と音声データ信号からなる放送素材をランダムアクセス可能な記憶装置に記録し、放送制御装置からの指示によって放送素材を送出することによって、放送業務を行う放送システムが放送局で運用され始めている。
【０００３】
このような放送システムの運用において、放送素材の収録を行ってから放送で使用するまでの期間に、収録結果を放送システムの出力チャネルより送出してモニタ等を用いて表示してその記録内容を確認しておく。しかし、放送素材の収録時間が長い場合には、収録動作中に送出結果を確認する方法がしばしば用いられ、この確認作業は、同時再生と称される。
【０００４】
以下、図２を用いて従来の放送システムについて説明する。まず、素材再生装置１０１から出力された映像・音声信号は放送素材として記録装置１０２に記録され、記録装置１０２では出力チャネルから記録した素材が即座に映像表示装置１０３へ出力され、その映像表示装置１０３で再生される。
なお、記憶装置１０２を使用した放送システムにおいては、出力チャネルは複数個用意されるが、同時再生ではどの出力チャネルを使用しても映像表示装置１０３が接続されて映像を再生することができる。ただし、出力チャネルが自動送出装置２０３からの指示による送出動作に使用されるような場合、または、同時再生を行う操作者とは別の操作者が他の同時再生、素材内容確認、素材の編集などの操作を行うような場合は、各操作および動作ごとに空いている出力チャネルを見つけてその操作や動作に振り分けることが必要になる。
【０００５】
そのため放送システムでは、１台の制御装置２０１でもって記憶装置のすべての入出力チャネルと、収録に使用する機器、例えば、素材再生装置１０１や映像表示装置１０３とをまとめて制御することにより、入出力チャネルの競合が起こらないように管理しながら収録及び送出制御などを行う。図２では、自動送出装置２０３と操作卓２０２からの操作内容による出力チャネルの使用について制御装置２０１が管理し、そうすることで記憶装置１０２の制御を行っている。
【０００６】
また、入出力チャネルの使用目的に優先度を持たせることにより、例えば、放送のための送出動作のような優先度の高い使用目的で出力チャネルを使用する際には、同時再生のような優先度の低い使用目的での出力チャネルの使用は中断されるようにする。図２では、記憶装置１０２に出力チャネルが４つあるものとする。例えば、同時再生の操作を行う操作卓が３つで、送出動作の操作を行う操作卓が１つあり、それら４つの操作卓に対応して４つの出力チャネルをすべて使用しているとする。その場合に、新しい別の送出動作を開始するとなると、その新しい送出動作には同時再生よりも高い優先度を与えておくために、同時再生で使用していた出力チャネルが、今度はその新しい送出動作のために使用されて、１つの同時再生が中断される。
【０００７】
【発明が解決しようとする課題】
送出動作に対して収録時の同時再生よりもより高い優先度を割り当てるようにした優先度付きチャネル共有方式を用いて収録作業を行った際に、同時再生中の出力チャネルを送出動作で優先的に使用開始する場合には、その同時再生による映像表示は中断されるが、この時に収録作業自体を中断してしまうのは収録される放送素材がある程度以上の長さを有することを考えると非常に非能率的である。
【０００８】
しかし、同時再生をせずに収録だけを継続した場合、同時再生を行っていない素材をそのまま送出してしまうことでは、収録された映像信号に瑕疵がないことが確認されておらず、確実な放送がなされることについては不安を残すことになる。そのため、収録後での素材内容の確認が必要になる。従って、同時再生が中断された放送素材、あるいは最初から同時再生が行われていない放送素材に関しては、同時再生が行われた放送素材と明確に区別されるようにする必要がある。
【０００９】
本発明の目的は、放送素材の収録時にその放送素材の同時再生が行われなかった場合、あるいは、その一部分しか同時再生のための映像表示が行われなかった場合に、その収録された放送素材と共に、同時再生が完了していないことを示す情報を
記録するようにして、その記録内容を確認することで、同時再生が完了していないことを即座に確認できるようにすることである。
【００１０】
【課題を解決するための手段】
本発明は上述の課題を解決するために、映像・音声信号からなる放送素材を記録し放送するシステムにおいて、放送素材の収録時にその放送素材の同時再生が行われなかった場合、あるいは、その一部分しか同時再生のための映像表示が行われなかった場合に、その収録された放送素材と共に、同時再生が完了していないことを示す情報を記録するものであって、複数個の放送素材出力チャネルを複数の用途において共有し、自動的に出力チャネルを割り当てる場合に、出力チャネルの使用目的に応じて優先度を持たせ、出力チャネルの空きがない状態で優先度のより高い使用目的で出力チャネルを使用開始するとき、優先度のより低い使用目的で使用中の出力チャネルの使用を中断し、優先度のより高い使用目的に出力チャネルを割り当てるものである。
【００１２】
さらに本発明は、放送素材の収録時に空いているチャネルで自動的に再生する同時再生を行い、同時再生映像を加工することにより登録動画素材の代表画面を１枚または複数枚の静止画として保存し、素材の管理に利用するものである。
さらに本発明は、収録時の同時再生中に優先度のより高い使用目的で出力チャネルを使用され同時再生が中断された場合に収録をそのまま継続し、収録後に登録素材の代表画面にて同時再生が中断されたことを確認することを可能とするものである。
【００１３】
また、本発明は上述の課題を解決するために、同時再生を行う際に、同時再生の動画像を操作卓上に表示し、その映像を静止画として取り込み、その素材の代表画面として保存する。代表画面には素材の先頭部分の映像が含まれていて、後から素材を管理する場合に使用することができる。代表画面は同時再生中に作成するので同時再生が行われなかった場合には作成することはできない。そのような時に「他業務の割り込み」を示す特別な静止画ファイルを用意し、その静止画ファイルを代表画面とすることにより、同時再生が行われなかった素材と同時再生が行われた素材を区別することができる。また、同時再生中の出力チャネルを送出動作の出力チャネルとして切り替えた場合にも、一度作成した代表画面を破棄し、「他業務の割り込み」代表画面とすることにより同時再生が完了していないことを知ることができる。また、同時再生開始時に同時再生用のチャネルが確保できなかった場合にも同様に「他業務の割り込み」代表画面とすることで同時再生が完了していないことを知ることが出来る。
【００１４】
【発明の実施の形態】
以下、本発明の実施例について、図を用いて説明する。図１は本発明の放送システムの一実施例のブロック構成を示す図である。この図において、上述の図２と同じ符号を付した部分については、上述したので説明を省略する。
図１において図２と異なるのは、制御装置２０１から各操作卓２０２へ制御信号ａが出力されることである。また、記憶装置１０２からは、同時再生時に映像表示装置１０３へ出力される映像信号が対応する操作卓２０２へ出力される。制御信号ａは、制御装置２０１の出力チャネル制御に応じた制御信号であり、以下、この制御信号ａを用いた本発明の動作について説明する。
【００１５】
まず、収録時の同時再生が行われる場合、制御装置２０１において記憶装置の出力チャネルの一つが空いているか否かを確認する。もし、出力チャネルが空いていればその出力チャネルを用いて同時再生のための収録された放送素材の出力を行わせるようにする。そして制御装置２０１は、その同時再生を行うための操作がなされた操作卓２０２に対して、同時再生が可能になったことを知らせるための制御信号ａを出力する。入力された制御信号ａによってその操作卓２０２は、同時再生動作が開始されたか、あるいは、同時再生が可能であることを操作者に表示するようにする。そして、操作者はその表示によって同時再生が行われることを認識すると共に、その同時再生による収録放送素材の再生内容を、映像表示装置１０３に表示された映像音声を視聴することによって確認することができる。また、その同時再生を行うための操作がなされた操作卓２０２へは、記録装置１０２から同時再生のための映像信号と同様な内容の映像信号が出力される。その操作卓２０２は、入力された映像信号を基にその放送素材を代表する代表画面映像信号を生成し、その同時再生の放送素材に対応して生成された代表画面映像信号を記録する。そのため、同時再生された収録放送素材に対応して記録された代表画面映像信号が存することを収録後に確認することによって、その放送素材の同時再生が正常に行われた事を即座に確認することができる。
【００１６】
次に、上述の同時再生が行われているときに、同時再生よりも出力チャネル使用の優先度の高い、例えば、放送のための素材送出動作（送出業務）を行う必要が生じた場合であって、かつ、記録装置１０２の複数出力チャネルすべてが同時再生を含む所定の映像信号出力のために既に使用されている場合について説明する。この場合、例えば、自動送出装置２０３から送出動作の指示を受け取った制御装置２０１は、出力チャネルのうち優先順位のより低い動作（業務）に用いられている出力チャネルを検出する。そのため、優先順位のより低い、例えば、同時再生に用いられていた出力チャネルが検出され、その検出された出力チャネルはその指示に応じた時刻に素材送出動作（送出業務）のための映像信号出力動作に切り替わる。制御装置２０１は、その出力チャネルを同時再生に使う指示を出していた操作卓２０２に対して、出力チャネルが別の業務に切り替わったことを伝える制御信号ａを出力する。その制御信号ａを入力した操作卓２０２では、現在収録している素材の同時再生が正常に終わらないことを判断して、そのため、その収録中の放送素材の代表画面として、あらかじめ操作卓２０２において用意された画面映像信号であって、例えば、「他業務の割り込み」と表示するための画面映像信号をその放送素材と関連づけて記録する。
【００１７】
また、収録時の同時再生を行う際に出力チャネルにその収録の最初から空きチャネルが無かった場合にも、同様に操作卓２０２に通知を行い、操作卓２０２は収録素材の同時再生が行われなかったことを知り、代表画面として「他業務の割り込み」と表示するための画面映像信号をその放送素材と関連づけて記録する。そうすることで、収録後に放送素材の管理を行う際に、代表画面の映像を確認することで、同時再生が正常に終わっていない放送素材を即座に検出して、その検出された放送素材に関してはもう一度再生動作を行うようにして収録結果を確認させることができる。
【００１８】
図３は収録素材の確認画面の例で、代表画面表示欄７０１から代表画面表示欄７０５に収録素材の代表画面が表示される。表示しきれない分は代表画面スクロールバー７０６を操作することによって表示する。図４は同時再生に対する割り込みがあった素材を含む番組の放送素材に対して他業務の割り込みがあり同時再生を行えなかったために代表画面表示欄８０１，８０２に「他業務の割り込み」画面が表示されている。このような場合、これら２つの放送素材に関してはもう一度放送素材の再生を行い、収録結果を確認する必要性がある事が即座に分かる。図５は同時再生開始時に出力チャネルを取得できなかった番組の確認画面で、すべての代表画面表示欄に「他業務の割り込み」画面９０１〜９０５が表示されている。このような場合、これらすべての放送素材に対してもう一度放送素材の再生を行い、収録結果を確認する必要があることがわかる。
【００１９】
なお、上記の例では、代表画面映像信号は放送素材ごとに１つを記録するようにしているが、放送素材のシーンの切れ目を検出し、シーンごとに代表画面映像信号を１つ記録するようにしても良い。この場合、収録素材の同時再生に関して、放送素材単位でなく、シーン単位でそのシーンに対して他業務の割り込みがあり、同時再生が行えなかったためにそのシーンを代表する代表画面映像信号として「他業務の割り込み」を表示する画面映像信号をシーンごとの収録映像信号に関連づけて記録する。そうすることで、同時再生が正常に終わらなかった放送素材のうち、シーンごとに同時再生が正常に終わらなかったシーンのみを即座に検出することができるので、収録後にその収録結果を確認するための放送素材の再生を、その検出された部分のみ行えば、同時再生と合わせてすべてのシーンについて、より短い期間で収録内容を確認することが出来る。
【００２０】
【発明の効果】
本発明により、複数の出力チャネルを複数の用途において共有する放送システムにおいて、使用されていないチャネルを効果的に使用することを可能とし、また代表画面によって同時再生できなかった素材を収録後に即座に確認できるため、収録内容の確認作業がより簡便となる。
【図面の簡単な説明】
【図１】本発明の放送システムの一実施例のブロック構成を示す図
【図２】従来の技術を用いた放送システムのブロック構成例を示す図
【図３】本発明に係わる収録素材確認画面の一例を示す図
【図４】本発明に係わる収録素材確認画面の一例を示す図
【図５】本発明に係わる収録素材確認画面の一例を示す図
【符号の説明】
１０１：素材再生装置
１０２：記憶装置
１０３：映像表示装置
２０１：制御装置
２０２：操作卓
２０３：自動送出装置
【図１】
0003741414.tif 000002
【図２】
0003741414.tif 000003
【図３】
0003741414.tif 000004
【図４】
0003741414.tif 000005
【図５】
0003741414.tif 000006